(57)【要約】【課題】  画像形成装置が緊急停止した時に、定着器の熱が転写ベルト上に送風されることによる中間転写ベルト上のトナーが融着することを防止する。【解決手段】  複数の定着体が当接して回転しながら熱定着し、かつ前記定着体が離間機構を持つ定着装置と前記定着装置を冷却するための冷却ファンとを有する画像形成装置において、前記画像形成装置が画像形成後に前記定着体間の圧解除と離間を行う第１の離間モードと、前記画像形成装置が画像形成中に緊急停止する時、前記定着装置上に転写シートがない場合に前記定着体間の圧解除のみを行う第２の離間モードと、前記定着装置上に転写シートがある場合の前記定着体間の圧解除と離間を行わない第３の離間モードとを有する。【選択図】  図１０
2007240962.tif 000002
【特許請求の範囲】
【請求項１】
複数の定着体が当接して回転しながら熱定着し、かつ前記定着体が離間機構を持つ定着装置と
前記定着装置を冷却するための冷却ファンとを有する画像形成装置において、
前記画像形成装置が画像形成後に前記定着体間の圧解除と離間を行う第１の離間モードと、
前記画像形成装置が画像形成中に緊急停止する時、
前記定着装置上に転写シートがない場合に前記定着体間の圧解除のみを行う第２の離間モードと、
前記定着装置上に転写シートがある場合の前記定着体間の圧解除と離間を行わない第３の離間モードとを有すること特徴とする画像形成装置。
【請求項２】
請求項１において、第１の離間モードは、第２の離間モードと比較して前記定着体の離間幅が大きいことを特徴とする画像形成装置。
【請求項３】
請求項１において、第２の離間モードは、前記定着体間で加熱ニップを形成しない最小量の離間幅とすることを特徴とする画像形成装置。
【請求項４】
操作メッセージを表示する表示部を備えた請求項１において、第３の離間モードは、前記定着装置が格納された定着ユニットを前記画像形成装置から引き離す事を促す操作メッセージを前記表示部に表示すると共に、前記定着ユニットを引き離した時に前記離間機構により前記定着体間の圧解除と離間させることを特徴とする画像形成装置。
【請求項５】
複数の定着体が当接して回転しながら熱定着し、かつ前記定着体が離間機構を持つ定着装置と
前記定着装置を冷却するための冷却ファンとを有する画像形成装置において、
前記画像形成装置が画像形成後に前記定着体間の圧解除と離間をする第１の離間モードと、
前記画像形成装置が画像形成中に緊急停止する時、
前記定着装置上に転写シートがない場合に前記定着装置の装置温度が所定温度以下になった後、前記定着体間の圧解除のみをする第２の離間モードと、
前記定着装置上に転写シートがある場合の前記定着体間の圧解除と離間をしない第３の離間モードと
を有すること特徴とする画像形成装置。
【請求項６】
請求項５において、第１の離間モードは、第２の離間モードと比較して前記定着体の離間幅が大きいことを特徴とする画像形成装置。
【請求項７】
請求項５において、第２の離間モードは、前記定着体間で加熱ニップを形成しない最小量の離間幅とすることを特徴とする画像形成装置。
【請求項８】
操作メッセージを表示する表示部を備えた
請求項５において、第３の離間モードは、前記定着装置が格納された定着ユニットを前記画像形成装置から引き離す事を促す操作メッセージを前記表示部に表示すると共に、前記定着ユニットを引き離した時に前記離間機構により前記定着体間の圧解除と離間させることを特徴とする画像形成装置。
【発明の詳細な説明】
【技術分野】
【０００１】
本発明は、電子写真方式を利用して記録材に画像形成を行う複写機、プリンタ等の画像形成装置に関する。
【背景技術】
【０００２】
電子写真装置、静電記録装置などの画像形成装置においては、シート上にトナー画像を形成し、これを加熱、加圧して定着させることにより画像を形成している。このような定着装置として、内部にハロゲンランプ等のヒータを有する定着ローラに加圧ローラを圧接して定着ニップを形成し、定着を行うローラ定着方式が従来より採用されている。
【０００３】
しかしながら、ハロゲンランプ等の発熱体を加熱源として用いる場合、発熱体の熱がローラ表面まで到達するまでに時間を要する。そのため、ウォームアップタイムに時間がかかってしまう。
【０００４】
そこで、励磁コイルによる磁束で定着ローラ内面に設けた導電層に渦電流を発生させジュール熱により発熱させる方法が提案されている。
【０００５】
この方法は定着部材を直接加熱することができるため、ハロゲンランプ等の発熱体を用いる場合に比べ、ウォームアップタイムを短縮することができる。また、励磁コイルを加熱部分の外側に配置することが可能なため、定着部材であるローラやベルトの交換性が容易となる利点がある。
【０００６】
定着ローラは回転によって励磁コイルによる加熱領域を通過する際、導電層が加熱されるが、定着ローラと加圧ローラが接触している場合は、接している部分から加圧ローラ側に熱が移動するために定着ローラの温度が上昇しづらくなるため、ウォームアップタイムに時間がかかってしまう。
【０００７】
また、定着ローラと加圧ローラが接して、定着ローラ温調温度付近まで加圧ローラ温度が高くなると、紙に過剰な熱を与えることになり、トナーや紙中に含まれる水分が水蒸気として定着ニップ内で発生し、水蒸気がある部分とない部分で光沢むらが生じるという問題がある。特にコート紙のような通気性の悪い紙の場合に発生し易い。
【０００８】
これらの問題を防止するため、定着ローラと加圧ローラを離間して、定着ローラから加圧ローラに過剰に熱を与えないようにする必要がある。
【０００９】
特許文献１に、定着ローラと転写定着ベルト間が非通紙時には離間し、離間時には定着ローラと転写定着ベルト間に断熱部材が挿入されて転写定着ベルトに熱が伝わらないようにする提案が行われている。
【特許文献１】特登録02825576号公報
【発明の開示】
【発明が解決しようとする課題】
【００１０】
ところで、従来プリント中はスタンバイ時よりも高い温度で定着ローラや加圧ローラの温度制御をしており、またジャムやエラーといった装置の緊急停止時には、定着ローラと加圧ローラの回転を早急に停止させる処理を行う。そのため、装置の緊急停止時は定着ローラと加圧ローラの加熱部が瞬時に過昇温となる問題が生じる。この問題を防止するために、一般的には定着ローラと加圧ローラの温度を直接冷却するファンを使用している。
【００１１】
しかしながら、ジャムやエラー時に緊急停止を行った場合において、すぐに離間し冷却ファンを回転させてしまうと定着器の熱が転写ベルトに伝わり、転写ベルト上の転写残トナーが融着してしまうといった課題が残る。
【００１２】
そこで、特登録02825576（リコー）では、定着ローラと転写定着ベルト間が非通紙時には離間し、離間時には定着ローラと転写定着ベルト間に断熱部材が挿入されて転写定着ベルトに熱が伝わらないようにする提案が行われているが、この提案では特別な部材を必要とする。
【課題を解決するための手段】
【００１３】
請求項１では、複数の定着体が当接して回転しながら熱定着し、かつ前記定着体が離間機構を持つ定着装置と前記定着装置を冷却するための冷却ファンとを有する画像形成装置において、前記画像形成装置が画像形成後に前記定着体間の圧解除と離間を行う第１の離間モードと、前記画像形成装置が画像形成中に緊急停止する時、前記定着装置上に転写シートがない場合に前記定着体間の圧解除のみを行う第２の離間モードと、前記定着装置上に転写シートがある場合の前記定着体間の圧解除と離間を行わない第３の離間モードとを有すること特徴とする画像形成装置。
【００１４】
請求項２では、請求項１において、第１の離間モードは、第２の離間モードと比較して前記定着体の離間幅が大きいことを特徴とする画像形成装置。
【００１５】
請求項３では、請求項１において、第２の離間モードは、前記定着体間で加熱ニップを形成しない最小量の離間幅とすることを特徴とする画像形成装置。
【００１６】
請求項４では、操作メッセージを表示する表示部を備えた請求項１において、第３の離間モードは、前記定着装置が格納された定着ユニットを前記画像形成装置から引き離す事を促す操作メッセージを前記表示部に表示すると共に、前記定着ユニットを引き離した時に前記離間機構により前記定着体間の圧解除と離間させることを特徴とする画像形成装置。
【００１７】
請求項５では、複数の定着体が当接して回転しながら熱定着し、かつ前記定着体が離間機構を持つ定着装置と前記定着装置を冷却するための冷却ファンとを有する画像形成装置において、前記画像形成装置が画像形成後に前記定着体間の圧解除と離間をする第１の離間モードと、前記画像形成装置が画像形成中に緊急停止する時、前記定着装置上に転写シートがない場合に前記定着装置の装置温度が所定温度以下になった後、前記定着体間の圧解除のみをする第２の離間モードと、前記定着装置上に転写シートがある場合の前記定着体間の圧解除と離間をしない第３の離間モードとを有すること特徴とする画像形成装置。
【００１８】
請求項６では、請求項５において、第１の離間モードは、第２の離間モードと比較して前記定着体の離間幅が大きいことを特徴とする画像形成装置。
【００１９】
請求項７では、請求項５において、第２の離間モードは、前記定着体間で加熱ニップを形成しない最小量の離間幅とすることを特徴とする画像形成装置。
【００２０】
請求項８では、操作メッセージを表示する表示部を備えた請求項５において、第３の離間モードは、前記定着装置が格納された定着ユニットを前記画像形成装置から引き離す事を促す操作メッセージを前記表示部に表示すると共に、前記定着ユニットを引き離した時に前記離間機構により前記定着体間の圧解除と離間させることを特徴とする画像形成装置。
【発明の効果】
【００２１】
本発明では、特別な部材を使用せず、定着器の熱が転写ベルト上に送風されることによりITB上のトナーが融着することを防止する。
【発明を実施するための最良の形態】
【００２２】
図1は、本発明における画像形成装置の一例を示す断面図である。
【００２３】
200は画像入力部である。201は原稿積載台としてのプラテンガラスであり、204はスキャナであり、不図示の原稿照明ランプ、走査ミラー等で構成される。画像入力部200は画像取り込み処理が開始されると、204が所定方向に往復走査されて、原稿の反射光を走査ミラー204〜206を介してレンズ207を透過してイメージセンサ部208内のCCDセンサに結像する。なお、製品では200上には、ADF（自動原稿送り器）もしくは圧板カバーが乗せられる（不図示）。
【００２４】
画像出力部100は大別して、画像形成部10（4つのステーションa、b、c、dが並設されており、その構成は同一である。）、給紙ユニット20、中間転写ユニット30、定着ユニット40及び制御ユニット（不図示）から構成される。
【００２５】
さらに、個々のユニットについて詳しく説明する。画像形成部10は次に述べるような構成になっている。像担持体としての感光ドラム11a、11b、11c、11dがその中心で軸支され、矢印方向に回転駆動される。感光ドラム11a〜11dの外周面に対向してその回転方向に一次帯電器12a、12b、12c、12d、光学系13a、13b、13c、13d、現像装置14a、14b、14c、14dが配置されている。一次帯電器12a〜12dにおいて感光ドラム11a〜11dの表面に均一な帯電量の電荷を与える。次いで光学系13a〜13dにより、記録画像信号に応じて変調した例えばレーザービームなどの光線を感光ドラム11a〜11d上に露光させることによって、そこに静電潜像を形成する。さらに、イエロー、シアン、マゼンタ、ブラックといった4色の現像剤（トナー）をそれぞれ収納した現像装置14a〜14dによって上記静電潜像を顕像化する。顕像化された可視画像を中間転写体に転写する画像転写領域Ta、Tb、Tc、Tdの下流側では、クリーニング装置15a、15b、15c、15dにより転写材に転写されずに感光ドラム11a〜11d上に残されたトナーを掻き落としてドラム表面の清掃を行う。以上に示したプロセスにより、各トナーによる画像形成が順次行われる。
【００２６】
給紙ユニット20は、記録材Pを収納するためのカセット21a・bおよび手差しトレイ27、カセット内もしくは手差しトレイより記録材Ｐを一枚ずつ送り出すためのピックアップローラ22a・bおよび26、各ピックアップローラから送り出された記録材Ｐをレジストローラまで搬送するための給紙ローラ対23及び給紙ガイド24、そして画像形成部の画像形成タイミングに合わせて記録材Ｐを二次転写領域Teへ送り出すためのレジストローラ25a、25bから成る。
【００２７】
中間転写ユニット30について詳細に説明する。中間転写ベルト31(その材料として例えば、PET[ポリエチレンテレフタレート]やPVdF[ポリフッ化ビニリデン]などが用いられる)は、中間転写ベルト31に駆動を伝達する駆動ローラ32、ばね（不図示）の付勢によって中間転写ベルト31に適度な張力を与えるテンションローラ33、ベルトを挟んで二次転写領域Teに対向する従動ローラ34に巻回させる。これらのうち駆動ローラ32とテンションローラ33の間に一次転写平面Ａが形成される。駆動ローラ32は金属ローラの表面に数ｍｍ厚のゴム（ウレタンまたはクロロプレン）をコーティングしてベルトとのスリップを防いでいる。駆動ローラ32はパルスモータ（不図示）によって回転駆動される。各感光ドラム11a〜11dと中間転写ベルト31が対向する一次転写領域Ta〜Tdには、中間転写ベルト31の裏に一次転写ブレード35a〜35dが配置されている。従動ローラ34に対向して二次転写ローラ36が配置され、中間転写ベルト31とのニップによって二次転写領域Teを形成する。二次転写ローラ36は中間転写体に対して適度な圧力で加圧されている。また、中間転写ベルト上、二次転写領域Teの下流には中間転写ベルト31の画像形成面をクリーニングするためのクリーニング装置50が配され、前記クリーニング装置50(不図示)は、クリーナーブレード51（不図示：材質としては、ポリウレタンゴムなどが用いられる）および廃トナーを収納する廃トナーボックス52(不図示)から成る。
【００２８】
制御ユニットは、上記各ユニット内の機構の動作を制御するための制御基板70（不図示）や、モータドライブ基板（不図示）などから成る。
【００２９】
定着ユニット40は、二次転写領域Teにて転写された画像を載せた記録材Pを加熱・加圧することで画像を定着させる。内部にハロゲンヒーターなどの熱源を備えた定着ローラ４１ａと、そのローラに加圧される加圧ローラ４１ｂ（このローラにも熱源を備える場合もある）とを有する。定着ローラ４１ａと加圧ローラ４１ｂは不図示の圧解除ユニットにより離間することが可能である（図５）。更に、上記ローラ対４１ａ、４１ｂのニップ部へ転写材Ｐを導くためのガイド４３、定着ユニットの熱を内部に閉じ込めるための定着断熱カバー４６、４７、また、上記ローラ対４１ａ、４１ｂから排出されてきた転写材Ｐをさらに装置外部に導き出すための内排紙ローラ４４、外排紙ローラ４５、及び、転写材Ｐ積載する排紙トレイ４８などを備えている。
【００３０】
図2は、画像形成装置1内の制御ブロック図である。171は画像形成装置1の基本制御を行うCPUであり、制御プログラムが書き込まれたROM174と処理を行うためのワークRAM175、入出力ポート173がアドレスバス、データバスにより接続されている。入出力ポート173には、画像形成装置1を制御する、モータ、クラッチ等の各種負荷（不図示）や、紙の位置を検知するセンサ等の入力（不図示）が接続されている。
【００３１】
CPU171はROM174の内容にしたがって入出力ポート173を介して順次入出力の制御を行い画像形成動作を実行する。又、CPU171には操作部172が接続されており、操作部172の表示手段、キー入力手段を制御する。操作者はキー入力手段をとおして、画像形成動作モードや、表示の切り替えをCPU171に指示し、CPU171は画像形成装置1の状態や、キー入力による動作モード設定の表示を行う。CPU171には、イメージセンサ部109で電気信号に変換された信号を、処理する画像処理部170と、処理された画像を蓄積する画像メモリー部3が接続されている。
【００３２】
次に、図3に従って、この画像処理部170の詳細を述べる。図3は、画像処理部のブロック図である。レンズ108を介しCCDセンサ109に結像された原稿画像は、Blackの輝度のデータとして入力され、CCDセンサ109によりアナログ電気信号に変換される。変換された画像情報は、アナログ信号処理部（不図示）に入力され、サンプル＆ホールド、ダークレベルの補正等が行われた後に、A/D変換部301でアナログ・デジタル変換（A/D変換）し、デジタル化された信号を、シェーディング補正（原稿を読み取るセンサのばらつき、および原稿照明用ランプの配光特性の補正）する。その後、log変換部302に送られる。log変換部302では、入力された輝度データを濃度データに変換するためのＬＵＴが格納されており、入力されたデータに対応するテーブル値を出力することによって、輝度データを濃度データに変換する。その後、変倍処理部303により所望の倍率に画像を変倍して、γ補正部304に入力される。γ補正部304では濃度データを出力する際に、プリンタの特性を考慮したＬＵＴによる変換を行い、操作部で設定された濃度値に応じた出力の調整を行う。その後、2値化部305へ送られる。2値化部305では多値の濃度データが2値化され、濃度値が「0」あるいは「255」となる。8bitの画像データは、2値化され「0」または「1」の1bitの画像データに変換され、メモリに格納する画像データ量は小さくなる。
【００３３】
しかし、画像を2値化すると、画像の階調数は256階調から2階調になるため、写真画像のような中間調の多い画像データは2値化すると一般に画像の劣化が著しい。そこで、2値データによる擬似的な中間調表現をする必要がある。ここでは、2値のデータで擬似的に中間調表現を行う手法として誤差拡散法を用いる。この方法は、ある画像の濃度がある敷居値より大きい場合は「255」の濃度データであるとし、ある敷居値以下である場合は「0」の濃度データであるとして2値化した後、実際の濃度データと2値化されたデータの差分を誤差信号として、回りの画素に配分する方法である。誤差の配分は、あらかじめ用意されているマトリクス上の重み係数を2値化によって生じる誤差に対して掛け合わせ、回りの画素に加算することによって行う。これによって、画像全体での濃度平均値が保存され、中間調を擬似的に2値で表現することができる。
【００３４】
2値化された画像データは、画像メモリー部3へ送られ、画像蓄積される。また、外部Ｉ／Ｆ処理部4から入力される、コンピュータからの画像データは、外部Ｉ／Ｆ処理部で2値画像データとして処理されているため、そのまま画像メモリー部3に送られる。画像メモリー部3は、高速のページメモリーと複数のページ画像データを蓄積可能な大容量のメモリー（ハードディスク）を有している。ハードディスクに格納された複数の画像データは、画像形成装置1の操作部で指定された編集モードに応じた順序で出力される。例えば、ソートの場合、ＤＦ180から読み取った原稿束の画像を順に出力する。ハードディスクから一旦格納された原稿の画像データを読み出し、これを複数回繰り返して出力する。これにより、ビンが複数あるソータと同じ役割を果たすことができる。画像メモリー部3から出力した画像データはプリンタ部100にあるスムージング部306に送られる。スムージング部306では、2値化した画像の線端部が滑らかになるようにデータの補間を行い、露光制御部120へ画像データを出力する。露光制御部120では前述の処理により画像データを転写紙に形成する。
【００３５】
次に画像メモリー部3の詳細を図4に従って述べる。画像メモリー部では、DRAM等のメモリーで構成されるページメモリー部401に、メモリーコントローラ部402を介して外部Ｉ／Ｆ処理部4、画像処理部170からの2値画像の書き込み、プリンタ部100への画像読み出し、大容量の記憶装置であるハードディスク404への画像の入出力のアクセスを行う。メモリーコントローラ部402は、ページメモリー401のDRAMリフレッシュ信号の発生を行い、又、画像Ｉ／Ｆ処理部4、画像処理部170、ハードディスク404からのページメモリー401へのアクセスの調停を行う。更に、CPU171の指示に従い、ページメモリー部401への書き込みアドレス、ページメモリー部401からの読み出しアドレス、読み出し方向などの制御をする。それにより、CPU171はページメモリー部401に複数の原稿画像をならべてレイアウトを行い、プリンタ部100に出力する機能や、画像の一部分のみ切り出して出力する機能や、画像回転機能を制御する。
【００３６】
次に、本発明の画像形成装置における操作部600の詳細にしたがって述べる。図6において、621は電源が入っていることを示すパワーランプである。
【００３７】
613のパワースイッチにより、電源のON/OFFの切り替えにあわせ、621は点灯、消灯をする。622はテンキーであり、画像形成枚数の設定やモード設定の数値入力に使用する。623はクリアーキーであり、テンキーで入力した設定のクリアーをする。616はリセットキーであり、設定された画像形成枚数や動作モードや選択給紙段等のモードを既定値に戻すためのものである。614はスタートキーであり、このスタートキー614の押下により画像形成動作を開始する。スタートキー614の中央にはスタート可能か否かを示す赤色とグリーンのLED（不図示）があり、スタートができない場合は、赤色のLEDが点灯し、スタート可能な場合はグリーンのLEDが点灯する。615はストップキーであり、複写動作の停止を行うために使用する。617はガイドキーであり、このキーを押下した後に、他のキーを押下すると、そのキーにより設定できる機能の説明が表示パネルに表示される。このガイド表示を解除する場合は、再度ガイドキー617を押下することで行う。618はユーザ設定キーであり、このキーを押下すると画像形成装置の設定をユーザが変更可能になる。
【００３８】
ユーザが変更できる設定は、自動的に設定をクリアーするまでの時間や、タイマー設定関連や、専用トレイの設定などプリンタ・コピー共通、もしくは各ファンクション固有の機能全般に対する設定などである。
【００３９】
619は割り込みキーであり、画像形成動作中にこのキーを押下すると、他の画像形成動作を中止して、コピーを行うことができる。620は液晶等で構成される表示パネルであり、詳細なモード設定を容易にするべく、設定モードに応じて表示内容が変わる。又、表示パネルの表面はタッチセンサーになっている。図6 の例では、複写動作モードの設定画面の例を示している。図6では、表示パネル620内に624〜631のキーを表示しており、このキーの表示の位置を触れることでキーの押下を判断して、モードを設定する。627は用紙段の選択キーであり、このキーを押下すると、カセット21a・bおよび手差しトレイ27のいずれから給紙を行うかを設定する表示を表示パネル620に行う。
【００４０】
628〜631は複写動作の複写倍率を設定するキーである。626は応用モードの設定キーであり、このキーを押下すると、縮小レイアウトモード、表紙・合紙モード等の応用機能モードの設定する画面が表示パネルに表示される。
【００４１】
624は両面動作の設定キーであり、例えば、片面原稿から両面出力を行う「片−両モード」、両面原稿から両面出力を行う「両−両モード」、両面原稿から2枚の片面出力を行う「両−片モード」の3種類の両面モードの設定を行う。625はソートキーであり、このキーの押下で後処理装置(不図示)の動作モードの設定や、画像メモリーを用いての出力紙の仕分けモード設定する。
【００４２】
表示パネル内のキーの表示は通常の表示の他に、表示のキーのモードが設定できない場合は、表示の線を点線（網掛け）にすることで、そのキーが操作できない事をあらわすようになっている。又、図6の例では、表示パネル620の上方には複写動作の設定された内容の表示や、現在の動作状態を表示する。表示パネル620内の応用モードキー626の横に、ユーザにより変更可能なキーがあり、応用モードの設定画面で設定できる機能のキーを最大2つまで登録可能である。応用モードの設定キーを図の位置に出して表示することで、その登録したモードの設定をより容易に行える様にすることができる。
【００４３】
632はプルーフプリントモードキーであり、625の後処理設定キーにおいて仕分けモード設定されている場合で複数部出力のときに、1部出力が終了したときに一旦プリント動作を停止し、ユーザに仕上がりを確認させ、OKならば継続、NGならば中止を選択できるプルーフプリントモードの設定を行う。
【００４４】
図6において、604〜612は画像形成装置1を用いた、複写動作、システム動作の各機能の設定を行う為に操作部の表示を切り替える為の、キー及びLED表示である。604、607、610はそれぞれ、各機能を切り替えるキーになっている。このキーは半透明のキーボタンで構成されており、キーの内部にはLED等の表示ランプ（不図示）がある。これらのキーを押下することで、操作画面を選択するとキー内部のランプが点灯する。各キーの内部のこのランプは選択されている操作機能画面のキーの内部にあるランプのみ点灯制御され、その他のキーの内部のランプは消灯するように制御される。又、各キーの右にはグリーンのLEDが配置され（606、609、612）、このLEDは、各機能の動作状況をLEDの点灯制御であらわしている。例えば、コピーのLED606はコピーがスタンバイ中では消灯制御され、図6の例の様にコピーが出力動作中の場合は、点滅制御される。又、画像メモリーのハードディスク505にコピーの画像が保存され、コピーのプリント動作が行われていない場合には、点灯制御される。各キーの左にはレッドのLEDが配置され（605、608、611）、このLEDは、各機能の異常状況が発生したことをLEDの点灯制御であらわしている。例えば、コピーのLED605はコピーが、紙なし中断やJAM等の異常が発生した時、LED605は点滅制御される。この時、コピー機能キー604を押下し、操作部の表示をコピーに切り替えることで、表示パネルにコピーの状況が表示され、異常状況の詳細を確認することができる。これらの機能切り替えキーは、各機能の動作状況によらず、いつでも押下可能であり、操作部を切り替え可能である。
【実施例１】
【００４５】
ジョブの最終紙が定着器を通紙する際のフローを図7に従って説明する。まずジョブが開始すると図9上段に示すように定着ローラと加圧ローラは接触し（Ｓ７０１）、未定着紙の通紙に備える。次に最終紙が定着器下流にある定着排紙センサを抜けたかどうかを判断し（Ｓ７０２）、図9下段に示すように最終紙が定着排紙センサを抜けると定着ローラと加圧ローラ間の圧解除と離間を行う（Ｓ７０３）。
【００４６】
このようにジョブの最終紙が正常に定着器を通紙し、定着ローラと加圧ローラ間の圧解除と離間する際は、図9下段に示す通り定着器の熱が中間転写ベルト上に送風されても中間転写ベルト上にはトナーがないため、融着は起きない。
【００４７】
図8は前述のフローを「定着排紙センサ」、「冷却ファン」、「定着ローラと加圧ローラの関係」の観点からタイミングチャートで表したものである。
【実施例２】
【００４８】
ジョブの最終紙が緊急停止した際のフローを図10に従って説明する。ジョブが開始すると定着ローラと加圧ローラを接触させる（Ｓ１００１）。次に緊急停止した際（Ｓ１００２）、定着器の温度を下げるため冷却ファンを回転させ、定着器内に紙があるかどうかを判定する（Ｓ１００３）ため定着排紙センサがONしているかどうかをみる。もし紙がない場合は、図12下段に示すように定着ローラと加圧ローラ間の圧解除のみ行う（Ｓ１００４）。このように圧解除のみ行うことで、定着器の熱が転写ベルトに送風されることなく定着器の温度を下げることができる。もし紙がある場合は、図18に示すように、操作パネル（６２０）に離間ボタンを押下してから定着ユニットを開け、定着器内の紙を取り除くようメッセージを表示する（Ｓ１００５）。そして図14下段に示すようにユーザが離間ボタンを押下することで加圧ローラと定着ユニットの圧解除と離間が行われ、定着ユニットを開けることで冷却ファンが停止する（Ｓ１００６）。
【００４９】
前述の定着器内に紙がある場合とない場合におけるフローを「定着排紙センサ」、「冷却ファン」、「定着ローラと加圧ローラの関係」の観点からタイミングチャートで図11と図13に示す。
【実施例３】
【００５０】
ジョブの最終紙が緊急停止した際のフローを図15に従って説明する。ジョブが開始すると定着ローラと加圧ローラを接触させる（Ｓ１５０１）。次に緊急停止した際（Ｓ１５０２）、定着器の温度を下げるため冷却ファンを回転させ、定着器内に紙があるかどうかを判定する（Ｓ１５０３）ため定着排紙センサがONしているかどうかをみる。もし紙がない場合は、図17中段に示すように定着ローラと加圧ローラ間の圧解除を行う（Ｓ１５０４）。そして定着ローラの温度を監視し（Ｓ１５０５）、120℃未満になることで、図17下段に示すように定着ローラと加圧ローラ間の離間を行う（Ｓ１５０６）。もし紙がある場合は、図18に示すように、操作パネル（６２０）に離間ボタンを押下してから定着ユニットを開け、定着器内の紙を取り除くようメッセージを表示する（Ｓ１５０７）。そして図14下段に示すようにユーザが離間ボタンを押下することで加圧ローラと定着ユニットの圧解除と離間が行われ、定着ユニットを開けることで冷却ファンが停止する。また、定着ローラの温度を監視し（Ｓ１５０８）、120℃未満になると、図17下段に示すように定着ローラと加圧ローラ間の離間を行い（Ｓ１５０９）定着ユニットを開け、定着器内の紙を取るようメッセージ表示する（Ｓ１５１０）。
【００５１】
前述の定着器内に紙がある場合とない場合におけるフローを「定着排紙センサ」、「冷却ファン」、「定着ローラと加圧ローラの関係」の観点からタイミングチャートで図16に示す。
【００５２】
［産業上の利用可能性］
本発明は複写機、ＦＡＸ、プリンタなどの画像形成装置に利用できる。
【図面の簡単な説明】
【００５３】
【図１】本発明の画像形成装置の図
【図２】本発明の制御ブロック図
【図３】システムブロック図
【図４】画像形成装置の画像処理ブロック図
【図５】定着ローラと加圧ローラの圧解除による離間を説明する図
【図６】画像形成装置の操作部を示す図
【図７】ジョブの最終紙が定着器を通紙する際のフローチャート
【図８】ジョブの最終紙が定着器を通紙する際の断面図
【図９】ジョブの最終紙が定着器を通紙する際のタイミングチャート
【図１０】緊急停止の際のフローチャート
【図１１】緊急停止の際に定着器内に紙がない場合のタイミングチャート
【図１２】緊急停止の際に定着器内に紙がない場合の断面図
【図１３】緊急停止の際に定着器内に紙がある場合のタイミングチャート
【図１４】緊急停止の際に定着器内に紙がある場合の断面図
【図１５】緊急停止の際に定着器内の温度により離間タイミングをずらすフローチャート
【図１６】緊急停止の際に定着器内に紙がなく温度により離間タイミングをずらす場合のタイミングチャート
【図１７】緊急停止の際に定着器内に紙がなく温度により離間タイミングをずらす場合の断面図
【図１８】定着ユニットに紙づまりした際のメッセージ
【図１】
2007240962.tif 000003
【図２】
2007240962.tif 000004
【図３】
2007240962.tif 000005
【図４】
2007240962.tif 000006
【図５】
2007240962.tif 000007
【図６】
2007240962.tif 000008
【図７】
2007240962.tif 000009
【図８】
2007240962.tif 000010
【図９】
2007240962.tif 000011
【図１０】
2007240962.tif 000012
【図１１】
2007240962.tif 000013
【図１２】
2007240962.tif 000014
【図１３】
2007240962.tif 000015
【図１４】
2007240962.tif 000016
【図１５】
2007240962.tif 000017
【図１６】
2007240962.tif 000018
【図１７】
2007240962.tif 000019
【図１８】
2007240962.tif 000020